(57)【要約】【課題】音響部品の不完全な隔離によるハウリング発生をなるべく回避する。【解決手段】電子機器は、貫通孔４ｚを有し、貫通孔４ｚを取り囲む周囲領域４ｙを有する弾性部材４と、貫通孔４ｚを覆い、周囲領域４ｙに接する状態で弾性部材４に押し当てられる音響部品としてのマイク１と、マイク１の弾性部材４とは反対側においてマイク１を支持する支持部材２と、支持部材２を介在させつつマイク１を弾性部材４に向けて押し当てる第１部材６とを備える。【選択図】図１０
2017098836.tif 000002
【特許請求の範囲】
【請求項１】
貫通孔を有し、前記貫通孔を取り囲む周囲領域を有する弾性部材と、
前記貫通孔を覆い、前記周囲領域に接する状態で前記弾性部材に押し当てられる音響部品と、
前記音響部品の前記弾性部材とは反対側において前記音響部品を支持する支持部材と、
前記支持部材を介在させつつ前記音響部品を前記弾性部材に向けて押し当てる第１部材とを備える、電子機器。
【請求項２】
前記支持部材を取り囲む第２部材を備え、
前記第２部材は、前記支持部材の前記弾性部材とは反対側において前記支持部材の一部に重なる突出部を備える、請求項１に記載の電子機器。
【請求項３】
前記第１部材は、前記第２部材に当接する状態でネジ留めされている、請求項２に記載の電子機器。
【請求項４】
前記第２部材は、前記第１部材の前記弾性部材とは反対側において前記第１部材の一部に重なる第１部材押さえ部を備える、請求項２または３に記載の電子機器。
【請求項５】
前記弾性部材の前記音響部品とは反対側には、前記貫通孔を塞ぐように防水膜が配置されている、請求項１から４のいずれかに記載の電子機器。
【請求項６】
前記第１部材は板状である、請求項１から５のいずれかに記載の電子機器。
【請求項７】
前記音響部品はマイクを含む、請求項１から６のいずれかに記載の電子機器。
【発明の詳細な説明】
【技術分野】
【０００１】
本開示は、電子機器に関するものである。
【背景技術】
【０００２】
電子機器の一種として携帯端末が挙げられる。筐体にマイク用の音声が通過する貫通孔が設けられている携帯端末が、特開２０１５−６１１９０号公報（特許文献１）に記載されている。
【先行技術文献】
【特許文献】
【０００３】
【特許文献１】特開２０１５−６１１９０号公報
【発明の概要】
【発明が解決しようとする課題】
【０００４】
電子機器の内部にマイクを設置する場合がある。マイクは外部からの音声を拾えるように、通常、外部からの貫通孔に近い位置に配置される。
【０００５】
電子機器であって、マイクが筐体に内蔵されており、かつ、スピーカ、レシーバなどのように音声を発する装置が同一の筐体に内蔵されている場合、スピーカなどから発せられた音声がマイクに拾われてしまうとハウリングが生じる。特に防水性能を有する筐体の場合には、音声が筐体の隙間から外部へ逃げる度合が低いので、音声が筐体内を伝わってそのままマイクに到達してしまい、ハウリングの問題は顕著となりがちである。
【０００６】
このような問題を避けるためには、マイクの受音部に音声が伝わらないように、マイクの受音部を筐体内の他の部分から隔離した状態でマイクを設置する場合がある。
【０００７】
しかし、マイクが不所望に傾いたまま設置された場合、隔離に寄与する部品との間に隙間があくなどしてマイクの受音部の隔離が十分でなくなる場合がある。マイクが最終的に正しい姿勢で設置されていても、マイクの設置作業時にマイクが不所望に傾いて他の部品を変形させた後にマイクが正しい姿勢となって設置された場合にも、変形させられた部品の変形がそのまま残存する場合があり、その部品の変形がマイクの受音部の隔離を損なう場合がある。マイクの受音部の隔離が十分に達成されていない場合には、筐体内でスピーカなどから発せられた音声が受音部に伝わってしまい、ハウリングが生じる。マイクに限らず他の音響部品においても、隔離が不完全である場合には不所望な音声が伝わってしまい、ハウリングの原因となりうる。
【０００８】
そこで、本開示は、音響部品の不完全な隔離によるハウリング発生をなるべく回避することができる電子機器を提供することを目的とする。
【課題を解決するための手段】
【０００９】
上記目的を達成するため、本開示に基づく電子機器は、貫通孔を有し、上記貫通孔を取り囲む周囲領域を有する弾性部材と、上記貫通孔を覆い、上記周囲領域に接する状態で上記弾性部材に押し当てられる音響部品と、上記音響部品の上記弾性部材とは反対側において上記音響部品を支持する支持部材と、上記支持部材を介在させつつ上記音響部品を上記弾性部材に向けて押し当てる第１部材とを備える。
【発明の効果】
【００１０】
本開示によれば、第１部材を用いて、支持部材を介在させつつ音響部品を弾性部材に向けて押し当てることで本設置を行なう構造となっているので、音響部品の弾性部材への押し当ては、均一に行なうことができ、音響部品の不完全な隔離によるハウリング発生をなるべく回避することができる。
【図面の簡単な説明】
【００１１】
【図１】本開示に基づく実施の形態１における電子機器の斜視図である。
【図２】本開示に基づく実施の形態１における電子機器の部分斜視図である。
【図３】マイクおよびその周辺のいくつかの部品による組立体の斜視図である。
【図４】支持部材に実装されたマイクが弾性部材に対して押し当てられる様子の説明図である。
【図５】マイクが筐体部品内に仮設置された状態の部分斜視図である。
【図６】図５に示した構造物の一部の断面が見えるようにした斜視図である。
【図７】マイクが筐体部品内に仮設置された状態のマイク近傍の断面図である。
【図８】マイクが筐体部品内に本設置される際の作業の説明図である。
【図９】マイクが筐体部品内に本設置された状態の斜視図である。
【図１０】本開示に基づく実施の形態１における電子機器で、マイクが筐体部品内に本設置された状態のマイク近傍の断面図である。
【発明を実施するための形態】
【００１２】
図面において示す寸法比は、必ずしも忠実に現実のとおりを表しているとは限らず、説明の便宜のために寸法比を誇張して示している場合がある。以下の説明において、上または下の概念に言及する際には、絶対的な上または下を意味するものではなく、図示された姿勢の中での相対的な上または下を意味するものである。
【００１３】
（実施の形態１）
（構成）
図１〜図１０を参照して、本開示に基づく実施の形態１における電子機器について説明する。実施の形態１における電子機器１０１の外観を図１に示す。ここでは、電子機器１０１は携帯電話であるものとして説明するが、これはあくまで一例であって、電子機器１０１が携帯電話に限られるものではない。電子機器１０１としては、さまざまな種類の機器が想定されうる。
【００１４】
図１に示すように、電子機器１０１は、正面側に表示領域３１を有する。電子機器１０１は、筐体２０を備える。筐体２０は、背面側の筐体部品２１と、正面側の筐体部品２２とを含む。筐体部品２１は複数の部品を組み合わせたものであってもよい。筐体部品２２についても同様である。筐体部品２１は樹脂で形成されていてよく、樹脂と樹脂以外の材料とを組み合わせて形成されていてもよい。筐体部品２２についても同様である。
【００１５】
電子機器１０１は、音響部品を備える。ここでいう音響部品としては、マイク、スピーカなどさまざまなものがありうるが、ここでは一例として、音響部品がマイクを含む場合について説明する。
【００１６】
電子機器１０１の端面が見えるような姿勢とした部分斜視図を図２に示す。図２は、図１における下端部を見たところである。電子機器１０１は端面にマイク孔１０を有する。マイク孔１０は、マイクで音声を拾うことができるように、音声が通過する目的で設けられた孔である。ここでは、筐体部品２１にマイク孔１０が設けられているが、筐体部品２１に代えて筐体部品２２にマイク孔１０が設けられていてもよい。マイク孔１０の個数、形状、マイク孔１０を設ける位置などは、図２に示したものに限らない。
【００１７】
マイクおよびその近傍の部品について説明する。図３には、マイク１周辺の主要な部品のみを抽出して示す。図３に示すように、音響部品としてのマイク１は支持部材２に実装されている。支持部材２は、フレキシブル配線基板３とつながっている。支持部材２は基板であってもよい。支持部材２は多層構造であってもよい。図３で示す例では、マイク１はほぼ円柱形状であるが、マイク１の形状はこれに限らず他の形状であってもよい。図３においてマイク１の下面が円形の面として示されているが、この面の中央部に受音部１ｃが存在する。図３では、受音部１ｃの領域にハッチングを付して示している。マイク１はこの受音部１ｃによって音声を拾うことができる。
【００１８】
図４に示すように、支持部材２に実装されたマイク１は、弾性部材４に対して押し当てられる。この例では、マイク１が円形であるので、弾性部材４としては円形のものが用意されている。弾性部材４は円形の外形を有し、中心に円形の貫通孔４ｚを有する。弾性部材４の上面は、周囲領域４ｙを有する。図４では、周囲領域４ｙにハッチングを付して示している。周囲領域４ｙは必ずしも弾性部材４の上面の全体とは限らない。周囲領域４ｙは、貫通孔４ｚを取り囲む環状の領域である。周囲領域４ｙは、マイク１を弾性部材４に押し当てたときにマイク１の受音部１ｃを取り囲むような位置にある。この例では、弾性部材４の上面のうち貫通孔４ｚの近傍の環状の領域が周囲領域４ｙである。周囲領域４ｙは、貫通孔４ｚを取り囲む環状の領域である。ここでは、弾性部材４の外形が円形であって、周囲領域４ｙは円形の領域であるものとして例示しているが、周囲領域４ｙは円形とは限らず、多角形その他の形状であってもよい。弾性部材４の外形も円形とは限らず他の形状であってもよい。周囲領域４ｙは任意の形状であってよく、貫通孔４ｚの周りを１周できる形状であればよい。マイク１は、周囲領域４ｙに対して全周に渡って接している。
【００１９】
弾性部材４がマイク１に押し当てられる際には、周囲領域４ｙがマイク１に当接し、弾性部材４がマイク１の受音部１ｃを取り囲み、受音部１ｃは貫通孔４ｚの内部空間に対向する。弾性部材４の下側には、防水膜保持部５ａに保持された防水膜５が配置されている。受音部は、貫通孔４ｚを通じて防水膜５に対向している。防水膜保持部５ａは防水膜５を取り囲む環状の部材である。防水膜保持部５ａの中心の貫通孔を遮るように防水膜５が配置されている。防水膜保持部５ａは両面テープであってもよい。図４においては、弾性部材４の貫通孔４ｚを通じて防水膜５が見えている。防水膜５は、空気は通すことができ、空気の振動も通すことができるが、水は通さない性質の膜である。防水膜５は、公知技術によって実現可能である。弾性部材４と防水膜保持部５ａとは積層されることによって積層体１１をなしている。ここで示す例では、弾性部材４の外径と防水膜保持部５ａの外径とはほぼ等しい。弾性部材４の内径と防水膜保持部５ａの内径とはほぼ等しい。弾性部材４の貫通孔４ｚの内部空間は、マイク１の受音部１ｃに接する空間である。弾性部材４および防水膜保持部５ａがこの空間を取り囲むことによって筐体２０内の他の空間から隔離する。したがって、筐体２０内の他の部品から発せられて筐体２０内を伝わってきた音声がマイク１の受音部１ｃに到達することは防止される。
【００２０】
実施の形態１における電子機器１０１では、筐体部品２１に対するマイク１の設置は、仮設置と本設置との２段階を経て行なわれる。
【００２１】
マイク１が筐体部品２１内に仮設置された状態を図５に示す。マイク１はマイク１を保持する支持部材２と一体的に扱われ、仮設置される。支持部材２から延在しているフレキシブル配線基板３の支持部材２と反対側の端は、他の部品に固定されていてもよい。図５に示した部分の断面が見えるようにした斜視図を図６に示す。マイク１近傍の断面図を図７に示す。筐体部品２１の一方の端の近傍にマイク１が設置されている。筐体部品２１に、弾性部材４と防水膜保持部５ａとの積層体１１が設置され、その上にマイク１が配置されている。支持部材２の下側にマイク１が配置されており、図５では、マイク１は支持部材２の陰に隠れている。図７に示すように、支持部材２は、ハッチングが付された上側の層２ａとハッチングが付されていない下側の層２ｂとの両方を含む。層２ａと層２ｂとは同じ材質であっても異なる材質であってもよい。
【００２２】
マイク１の周辺の空間の一部を占めるように周辺部材７が配置されている。周辺部材７は樹脂で形成されていてよい。図５に示すように、周辺部材７は、突起７ａ，７ｂを備える。周辺部材７は下側に空洞を有する部分７ｃを有する。図７に示すように、筐体２１は凹部９を有し、凹部９に挿入されるように積層体１１が配置される。積層体１１は、弾性部材４を含む。周辺部材７は筐体部品２１とは別の部品であってよい。図７に示すように、弾性部材４の上面のうち周囲領域４ｙはマイク１の下面に対向している。
【００２３】
図５に示すように、支持部材２の一部は突起７ａ，７ｂの下側に入り込んでいる。こうして突起７ａ，７ｂが支持部材２に引っ掛かることによって、支持部材２が上方へ外れることは一応防止される。支持部材２は突起７ａ，７ｂの下でまだ遊びを有していてよい。この状態では、マイク１は弾性部材４に対して強く押し当てられていなくてよい。マイク１は弾性部材４に対して軽く載っているだけであってもよい。この時点では、弾性部材４は圧縮変形していなくてよい。あるいは、弾性部材４はわずかに圧縮変形していてもよい。弾性部材４の上面から突起７ａ，７ｂの下面までの上下方向の距離は、マイク１と支持部材２とを合わせた厚みより大きくてよい。
【００２４】
次にマイク１の本設置の作業の様子を図８に示す。
第１部材６が上側から当接して固定される。図８に示した例では、第１部材６はネジ８によって固定されるが、ネジ以外の固定手段で固定されてもよい。第１部材６は板状の部品であるが、板状以外の形状であってもよい。第１部材６は樹脂で形成されていてよい。第１部材６は一方の端部にネジ８が通るための貫通孔６ｅを有する。第１部材６は、突起７ａとの干渉を回避するように切欠き６ａを有する。第１部材６は、突起７ｂとの干渉を回避するように切欠き６ｂを有する。第１部材６は、周辺部材７の部分７ｃの下側に入り込むための突出部６ｃを備える。ネジ８は、第１部材６の貫通孔６ｅを通って、周辺部材７のネジ穴７ｅに締め込まれる。ネジ８による第１部材６の固定が完了した状態を図９に示す。この状態の断面図を図１０に示す。この状態では、第１部材６によって支持部材２およびマイク１は下側にある弾性部材４に向けて押し付けられている。図１０では、弾性部材４の周囲領域４ｙがマイク１に当接している。マイク１によって周囲領域４ｙが押されることによって、弾性部材４が圧縮変形をしている。この変形は、弾性部材４の弾性変形の範囲内のものである。弾性部材４は、圧縮変形した結果、マイク１の外形に沿った形状となっている。第１部材６の下面は支持部材２の上面に当接している。この状態では、マイク１は弾性部材４を圧縮変形させる状態で固定されており、マイク１に遊びはない。図１０に示すように、第１部材６の突出部６ｃは、部分７ｃの下側に入り込んでいる。突出部６ｃの上面は部分７ｃの下面によって押さえられている。この状態はマイク１の本設置が完了した状態である。第１部材６の上面は、周辺部材７の上面とほぼ同じ高さである。
【００２５】
図１０では、筐体部品２１に設けられたマイク孔１０が見えている。マイク孔１０は、マイク１の受音部が直接対向する方向でなく、直角に曲がった方向に設けられている。マイク孔１０は、図１０における紙面奥手前方向に貫通している。図１０におけるマイク孔１０の紙面奥側に筐体２０外の空間が広がっている。筐体２０の外側からマイク孔１０を通じて筐体２０内に入ってきた音は、防水膜５を通過してマイク１に到達することができる。
【００２６】
実施の形態１における電子機器の構成を整理すると以下のとおりとなる。
電子機器１０１は、貫通孔４ｚを有し、貫通孔４ｚを取り囲む周囲領域４ｙを有する弾性部材４と、貫通孔４ｚを覆い、周囲領域４ｙに接する状態で弾性部材４に押し当てられるマイク１と、マイク１の弾性部材４とは反対側においてマイク１を支持する支持部材２と、支持部材２を介在させつつマイク１を弾性部材４に向けて押し当てる第１部材６とを備える。
【００２７】
「支持部材２を介在させつつマイク１を弾性部材４に向けて押し当てる」とは、「支持部材２を介してマイク１を弾性部材４に向けて押し当てる」と同義である。第１部材６とマイク１との間に支持部材２が存在する状態で、第１部材６がマイク１を弾性部材４に向けて押し当てている。第１部材６がマイク１を弾性部材４に向けて押す力は、第１部材６から支持部材２を経由してマイク１に伝わる。
【００２８】
（作用・効果）
実施の形態１では、弾性部材４をほとんどあるいは全く圧縮しない状態でマイク１を配置する仮設置を行なった後に、第１部材６を用いて、支持部材２を介在させつつマイク１を弾性部材４に向けて押し当てることで本設置を行なう構造となっているので、マイク１の弾性部材４への押し当ては、均一に行なうことができる。こうして、マイクの受音部の不完全な隔離によるハウリング発生をなるべく回避することができる。
【００２９】
本実施の形態で示したように、電子機器１０１は、支持部材２を取り囲む第２部材としての周辺部材７を備え、第２部材は、支持部材２の弾性部材４とは反対側において支持部材２の一部に重なる突出部７ａ，７ｂを備えることが好ましい（図５、図８、図９参照）。このような突出部７ａ，７ｂを有する第２部材を備えることにより、支持部材２の仮設置状態においては、突出部７ａ，７ｂが引っ掛かることによって支持部材２を安定させることができる。言い換えれば、支持部材２が上方へと外れることを防止することができる。これによって、組立作業をしやすくすることができる。本実施の形態で示した突出部７ａ，７ｂの個数、形状、サイズ、位置関係はあくまで一例であって、図示したものに限らない。
【００３０】
本実施の形態で示したように、第１部材６は、第２部材としての周辺部材７に当接する状態でネジ留めされていることが好ましい（図９、図１０参照）。この構成を採用することにより、第１部材６を堅固に固定することができる。第１部材６が第２部材に当接することによって第１部材６の位置を確実に所望の位置に定めることができる。
【００３１】
本実施の形態で示したように、第２部材としての周辺部材７は、第１部材６の弾性部材４とは反対側において第１部材６の一部に重なる第１部材押さえ部としての部分７ｃを備えることが好ましい。この構成を採用することにより、第１部材６の位置決めがしやすくなる。部分７ｃが第１部材６の一部に掛かることによって第１部材６の少なくとも一方の端を固定することができるので、第１部材６の取付けが容易となる。第１部材６の残りの部分をたとえばネジ１本だけで固定することによっても第１部材６の完全な取付けが可能となる。
【００３２】
本実施の形態で示したように、弾性部材４のマイク１とは反対側には、貫通孔４ｚを塞ぐように防水膜５が配置されていることが好ましい。この構成を採用することにより、防水性能を持たせた電子機器とすることができる。
【００３３】
本実施の形態で示したように、第１部材６は板状であることが好ましい。この構成を採用することにより、マイク１の弾性部材４に対する押し当ての均一化を図った構造を、薄いスペース内において実現することができる。本実施の形態で示した第１部材６の形状はあくまで一例であって、図示したものに限らない。第１部材６の形状としては、これ以外にもさまざまなものが考えられる。
【００３４】
ここまで、音響部品がマイクであるものとして説明してきたが、音響部品はマイク以外であってもよい。音響部品はたとえばスピーカ、レシーバであってもよい。ただし、本実施の形態で示したように、音響部品はマイクを含むことが好ましい。なぜなら、音響部品がマイクを含む場合に特に、他の部品からの音が不所望にマイクに拾われて生じるハウリングが問題になり、ここで説明した構成を採用することによって、効果を顕著に享受することができるからである。
【００３５】
なお、上記実施の形態のうち複数を適宜組み合わせて採用してもよい。
なお、ここまで「電子機器」という用語を用いて説明したが、電子機器は、たとえば携帯電話、携帯情報端末、タブレット端末、パーソナルコンピュータ、ゲーム機、テレビ受像機、携帯音楽プレーヤー、ＣＤプレーヤー、ＤＶＤプレーヤー、電卓、電子手帳、電子辞書、電子書籍リーダー、デジタルカメラ、ビデオカメラ、ラジオ受信機、ナビゲーションシステム、測定機などを含む広い概念である。携帯電話または携帯情報端末の概念にはスマートフォンが含まれる。
【００３６】
なお、今回開示した上記実施の形態はすべての点で例示であって制限的なものではない。本発明の範囲は上記した説明ではなくて特許請求の範囲によって示され、特許請求の範囲と均等の意味および範囲内でのすべての変更を含むものである。
【符号の説明】
【００３７】
１  マイク、１ｃ  受音部、２  支持部材、２ａ，２ｂ  層、３  フレキシブル配線基板、４  弾性部材、４ｙ  周囲領域、４ｚ  貫通孔、５  防水膜、５ａ  防水膜保持部、６  第１部材、６ａ，６ｂ  切欠き、６ｃ  突出部、６ｅ  貫通孔、７  周辺部材（第２部材）、７ａ，７ｂ  突起、７ｃ  部分、８  ネジ、９  凹部、１０  マイク孔、１１  積層体、２０  筐体、２１，２２  筐体部品、３１  表示領域、１０１  電子機器。
【図１】
2017098836.tif 000003
【図２】
2017098836.tif 000004
【図３】
2017098836.tif 000005
【図４】
2017098836.tif 000006
【図５】
2017098836.tif 000007
【図６】
2017098836.tif 000008
【図７】
2017098836.tif 000009
【図８】
2017098836.tif 000010
【図９】
2017098836.tif 000011
【図１０】
2017098836.tif 000012
【手続補正書】
【提出日】平成29年2月22日(2017.2.22)
【手続補正１】
【補正対象書類名】特許請求の範囲
【補正対象項目名】全文
【補正方法】変更
【補正の内容】
【特許請求の範囲】
【請求項１】
貫通孔を有し、前記貫通孔を取り囲む周囲領域を有する弾性部材と、
前記貫通孔を覆い、前記周囲領域に接する状態で前記弾性部材に押し当てられる音響部品と、
前記音響部品の前記弾性部材とは反対側において前記音響部品を支持する支持部材と、
前記支持部材を介在させつつ前記音響部品を前記弾性部材に向けて押し当てる第１部材と、
前記支持部材を取り囲む第２部材とを備え、
前記第２部材は、前記支持部材の前記弾性部材とは反対側において前記支持部材の一部に重なる突出部を備え、
前記第１部材は、前記第２部材に当接する状態でネジ留めされている、電子機器。
【請求項２】
前記第２部材は、前記第１部材の前記弾性部材とは反対側において前記第１部材の一部に重なる第１部材押さえ部を備える、請求項１に記載の電子機器。
【請求項３】
前記弾性部材の前記音響部品とは反対側には、前記貫通孔を塞ぐように防水膜が配置されている、請求項１または２に記載の電子機器。
【請求項４】
前記第１部材は板状である、請求項１から３のいずれかに記載の電子機器。
【請求項５】
前記音響部品はマイクを含む、請求項１から４のいずれかに記載の電子機器。